(57)【要約】【課題】ケース本体から延出するファスナーレーンを設けなくとも大きな開口部を与え、かつ比較的小さなスペースにて書道道具を容易に出し入れできる書道ケースを提供する。【解決手段】前面部、後面部、上面部、底部、および１対の襠部を有する、ファスナー部により開閉可能な書道ケースにおいて、前面部に折り曲げ部を設けるとともに、略「コ」の字型を有するファスナー部を、前面部の一方の側縁の中間位置から、一方の襠部を経由させて、上面部または後面部の両側縁の間で延在させ、さらに他方の襠部を経由させて、前面部の他方の側縁の中間位置に至らしめ、かつ、両方の襠部において前面部の側縁から斜め上に傾斜するように設ける。このファスナー部を開いたときに、前面部に設けられた折り曲げ部より上の部分が外側に折れて、大きな開口部を与える。【選択図】図４
2008131964.tif 000002
【特許請求の範囲】
【請求項１】
前面部、後面部、上面部、底部、および１対の襠部を有する、ファスナー部により開閉可能な書道ケースであって、
ファスナー部は、略「コ」の字型を有し、前面部の一方の側縁の中間位置から、一方の襠部を通って、上面部または後面部の両側縁の間で延び、さらに他方の襠部を通って、前面部の他方の側縁の中間位置に至り、かつ、ファスナー部が両方の襠部において前面部の側縁から斜め上に傾斜しており、
前面部は、折り曲げ部を有し、ファスナー部を開いたときに、折り曲げ部より上の部分（以下、「前面上部」と呼ぶ）が外側に折れる、
書道ケース。
【請求項２】
ファスナー部が後面部と上面部との略境界部で延びる、請求項１に記載の書道ケース。
【請求項３】
前面部が、前面上部と前面上部より下の部分を構成する前面下部とが縫合されて成り、縫合部が折り曲げ部となる、請求項１または２に記載の書道ケース。
【請求項４】
襠部、前面上部および／または上面部の内面に取り付けられ、ファスナー部を閉じたときに開口部が底部に向かって開いているポケットをさらに有し、ポケットの開口部の少なくとも１箇所に開閉部が設けられている、請求項１〜３のいずれか１項に記載の書道ケース。
【請求項５】
上面部の幅が、襠部の幅と略同じである、請求項１〜４のいずれか１項に記載の書道ケース。
【発明の詳細な説明】
【技術分野】
【０００１】
本発明は、書道で使用する道具を収納するためのケースであって、収納物の出し入れが容易なケースに関する。
【背景技術】
【０００２】
書道で使用する、硯、文鎮、墨汁、半紙および筆等の道具一式は、書道ケースまたは書道バッグと呼ばれるケースにまとめて入れて持ち運ぶことが便利であり、特に、小中学生の間では、そのようなケースが一般的に使用されている。小中学生が使用する書道バッグにおいては、道具の取り出しが容易なように、ファスナーが長い距離にわたって設けられることが多い。例えば、開口部を大きくするために、ケース本体から、ファスナーレーンを延在させることは、書道ケースに限られず、広く一般に行われている。また、前面部、後面部、上面部、襠部及び底部から成る書道バッグにおいて、上面部全体、襠部全体及び底部の一部にわたってファスナー部を長く延在させて、旅行用トランクのように、前面部と後面部を１８０度開放できるように構成されたものが既に知られている。また、上面部から前面部に延びる蓋部を設け、蓋部の開閉部をワンタッチ開閉ホックとして、開閉を容易にした書道ケースも知られている。
【発明の開示】
【発明が解決しようとする課題】
【０００３】
前面部と後面部を１８０度開放可能な書道バッグに書道道具を収納するには、ファスナーを完全に開いて、旅行用トランクのように、前面部と後面部を机等の上で開き、収納部に上方から道具を入れた後、道具をベルトまたは蓋等で固定する必要がある。よって、このタイプの書道ケースに道具を収納する際には、比較的大きなスペースを確保する必要がある。また、低年齢の子供がこのタイプの書道ケースを使用するときには、収納した道具をベルト等で固定するのが煩雑な場合がある。ワンタッチ開閉ホックで開閉可能な蓋部を設けた書道ケースは、蓋部を開いたときに形成される開口部の大きさが、前面部、後面部および襠部の上縁部で形成される、細長い四角形状であって、必ずしも書道道具の出し入れが容易であるとはいえない。また、蓋部が、襠部および前面部との間で隙間を作ることがあり、そのような隙間が形成されると、収納している道具が外に飛び出してしまう危険性がある。さらに、蓋部を有するケースは、全体として大きくなり、嵩張ることは否めない。ファスナーレーンをケース本体から延在させる形態の書道ケースにおいても同様に、ファスナーレーンとケース本体との間に隙間が生じやすい。
【０００４】
本発明はこれらの実情に鑑みてなされたものであり、開閉部がケース本体に設けられたファスナーで形成され、開閉部を開いたときに、書道道具の出し入れが容易な大きな開口部を与え、かつ書道道具の出し入れに際し、それほど大きなスペースを必要としない書道ケースを提供することを目的とする。
【課題を解決するための手段】
【０００５】
本発明は、前面部、後面部、上面部、底部、および１対の襠部を有する、ファスナー部により開閉可能な書道ケースであって、
ファスナー部は、略「コ」の字型を有し、前面部の一方の側縁の中間位置から、一方の襠部を通って、上面部または後面部の両側縁の間で延び、さらに他方の襠部を通って、前面部の他方の側縁の中間位置に至り、かつ、ファスナー部が両方の襠部において前面部の側縁から斜め上に傾斜しており、
前面は、折り曲げ部を有し、ファスナー部を開いたときに、折り曲げ部より上の部分（以下、「前面上部」と呼ぶ）が外側に折れる、
書道ケースを提供する。
【０００６】
この書道ケースは、ファスナー部が、両方の襠部において斜め方向に延び、且つ前面が折り曲げ部を有していて、ファスナー部を開いたときに、前面の折り曲げ部より上の部分が外側に折れるように構成されていることを特徴とする。それにより、ファスナー部を開いたときに、ケースの前面上部と上面の一部もしくは全部とが共に、前方に倒れて、大きな開口部を与える。また、このようにファスナー部を構成することにより、大きな開口部を作るために、ファスナーレーンをケース本体から延出させる必要が無くなり、全体としてすっきりとした外観を有するものとなり、また、ファスナーレーンが無いために、隙間が形成されにくい。
【０００７】
ファスナー部は、好ましくは、後面部と上面部との略境界部で延びる。即ち、ファスナー部は、前面部の一方の側縁の中間位置から、一方の襠部を通って、後面部と上面部との略境界部で延び、さらに他方の襠部を通って、前面部の他方の側縁の中間位置に至ることが好ましい。そのようなファスナー部を開くと、後述するようにポケットを設けることによって、上面部全体を収納部として使用することができる。
【０００８】
本発明の書道ケースにおいて、前面部は、前面上部と前面上部より下の部分を構成する前面下部とが縫合されて成り、縫合部が折り曲げ部となるものであることが好ましい。前面上部と前面下部とを別部材とすることにより、折り曲げが容易となり、ファスナー部を開いたときに開口部がより形成されやすい。
【０００９】
本発明の書道ケースは、襠部、前面上部および／または上面部の内面に取り付けられ、ファスナー部を閉じたときに開口部が底部に向かって開いているポケットをさらに有し、ポケットの開口部の少なくとも１箇所に開閉部が設けられているものであることが好ましい。そのようなポケットは、ケース内上部の空間を収納スペースとして有効に利用することを可能にする。
【００１０】
本発明の書道ケースにおいては、上面部の幅が、襠部の幅と略同じであることが好ましい。上面部の幅を襠部の幅と略同じとすることにより、書道ケースの上部の収納スペースを大きくすることができ、より多くのものを収納することが可能となり、特に、前記ポケットを設ける場合には、収納量の大きいポケットを構成することができる。
【発明の効果】
【００１１】
本発明の書道ケースは、ファスナー部がケース本体に沿って、三次元的に延び、かつ前面部が折り曲げ部を有することにより、ファスナー部を開いたときに大きな開口部を与えることを特徴とする。この特徴により、本発明の書道ケースは、書道道具の出し入れが容易であり、かつ上面部の幅を広くすることにより、ケース上部に比較的大きな収納スペースを有するものとなる。また、ケースから延出するファスナーレーンを設けなくとも、ファスナーをケース本体にのみ延在させるだけで、大きな開口部を形成することができ、隙間が形成されない。さらに、本発明の書道ケースが、襠部、前面上部及び／または上面部の内面に取り付けられた、ポケットを有する場合には、筆巻きに巻いた筆等をこのポケットに収納でき、便利である。
【発明を実施するための最良の形態】
【００１２】
本発明の書道ケースの一例を、図面を参照して説明する。図１は、本発明の書道ケースの外観を示す斜視図である。図２は、本発明の書道ケースの外観を示す側面図である。図３は、本発明の書道ケースの外観を示す背面図である。図４は、書道ケースのファスナー部を開いて、前面上部を外側に折ったときの状態を示す斜視図である。
【００１３】
図１に示す本発明の書道ケース１００は、前面部１２、後面部１４、上面部１６、底部１８、および１対の襠部２０を有する。以下、前面部１２、後面部１４、上面部１６、底部１８、および１対の襠部２０を総称して、便宜的に書道ケースの本体とも呼ぶ。書道ケース１００は、取手２４を有し、さらに、図３に示すように、肩掛け紐を取り付けるためのリング２６を後面部１４に２つ有している。前面部１２は、前面上部１２ａと前面下部１２ｂとから成り、これらは縫合により一体化されており、この縫合部はファスナー部を開いたときに折り曲げ部１２ｃとなる。
【００１４】
ファスナー部２２は、前面部１２の一方の側縁の中間位置から、一方の襠部２０を通って、上面部１６と後面部１４との略境界部で、上面部（後面部）の両側縁の間で延びている。ファスナー部２２はさらに、他方の襠部２０を通って、前面部１２の他方の側縁の中間位置に至っている。ここで、「中間位置」とは、前面部の上端（即ち、上面部との境界）と下端（即ち、底部との境界）を除く部分を指す。また、「側縁」とは、各面部（上面部、前面部、後面部）と襠部との境界を指すものとする。図示するように、上面部と襠部とが一体に繋がっている場合には、上面部の側縁は底部と平行な面を規定する、襠部の幅方向と平行な線を指す。さらに、「ファスナー部が上面部と後面部との略境界部で延びる」とは、ファスナー部が上面部と後面部との境界で延びている形態だけでなく、上面部と後面部との境界からファスナー部（中央）までの距離が１５ｍｍ未満であるようにファスナー部が設けられている形態をも含む意味である。
【００１５】
このファスナー部２２は、略「コ」の字型を有し、ケースを襠部２０の方から見たときには（即ち、側面図において）、前面部１２の側縁の中間位置から、上面部１６に向かって斜め上に延びている。よって、このファスナー部２２が形成する面は、底部１８に対して傾斜していることとなる。ファスナー部２２の始点および終点は、折り曲げ部１２ｃよりもやや下に位置し、それにより折り曲げ部１２ｃがより折り曲げやすくなり、前面上部１２ａが外側へ、より折れやすくなっている。また、ファスナー部２２は、２つのスライダーを有し、いずれの側からでも開閉可能なように構成されている。
【００１６】
ファスナー部２２は、書道ケース１００の本体の形状によっては、「コ」の字型とはならず、襠部と上面部（または後面部）との境界部が湾曲しているために、または上面部と襠部とが一体であるために、「Ｃ」の字型となり得る。本発明は、ファスナー部が書道ケース本体の両方の襠部を横切り、かつ上面部または後面部の両側縁の間を延びる限りにおいて、そのような形状のファスナー部を有するものをも含む。その意味で、「略」を使用して、「略コの字型」という表現をここで用いている。
【００１７】
ファスナー部２２の始点および終点は、底部からほぼ同じ高さに位置している。始点の高さは終点のそれと異なってもよいが、その場合には、折り曲げ部が底面に平行であるときに、安定して前面上部１２ａを折り曲げられないことがあるので、折り曲げ部を斜めにすることが好ましい。
【００１８】
図２に示すように、襠部２０の下半分および底部１８には、それらの幅の略中央を通る別のファスナー部３０が設けられている。このファスナー部３０を開くと、内側に折り畳まれた補助的な襠部および底部が広げられて、書道ケースの底部１８の幅および襠部２０の下半分の幅が広がり、収納量を増やすことができる。
【００１９】
書道ケース１００の本体は、公知の織物、編物、不織布またはプラスチックシートもしくはフィルム等から選択される、任意のシート状物を使用して構成することができる。例えば、書道ケース１００の本体は、ナイロン製の防水性を有する密な織物で形成してよい。あるいは、書道ケース１００の本体の一部を、通気性の大きい目の粗い織物または目の粗い編物で形成してよい。例えば、前面上部１２ａを、通気性の大きいメッシュで形成し、その他の部分をナイロン製の織物で形成してよい。前面上部１２ａの素材を前面下部１２ｂの素材とは異なるように適宜選択することにより、前面上部１２ａを外側により折れやすくし得る。取手２４は本体と同じシート状物で形成してよく、あるいは、異なるシート状物で形成してよい。
【００２０】
前面部１２、後面部１４、上面部１６および／または底部１８には必要に応じて、ケースの保形性を高くするために、芯材を取り付けてよい。芯材は、例えば、硬質の発泡体シートである。芯材を取り付ける場合には、２枚の織物の間に芯材を配置して、芯材が露出しないようにしてよい。このとき、２枚の織物は、ケースの内面と外面を構成することとなる。内面と外面はそれぞれ異なる織物で形成してよい。前面部１２に芯材を取り付けるときには、前面下部１２ｂにのみ芯材を取り付けることが好ましい。前面上部１２ａを外側に折れやすくするためである。
【００２１】
書道ケース１００の寸法は特に限定されず、一般的な書道道具一式が収納できるように選択される。例えば、図示した形態において、前面部１２および後面部１４は、タテ×ヨコが２４ｃｍ×３３ｃｍ〜２６ｃｍ×３５ｃｍ程度の矩形とすることができ、上面部１６は、タテ×ヨコが５ｃｍ×３３ｃｍ〜６ｃｍ×３５ｃｍ程度の矩形とすることができ、底部１８は、タテ×ヨコが５ｃｍ×３３ｃｍ〜６ｃｍ×３５ｃｍ程度の矩形とすることができ、襠部２０の幅は、５ｃｍ〜６ｃｍ程度とすることができる。
【００２２】
図４に示すように、書道ケース１００はファスナー部２２を開くと、前面上部１２ａが外側に折れて、大きな開口部５０を与える。この開口部５０から、書道道具を容易に出し入れすることができる。また、必要であれば、書道ケース１００の後面を机の上等に置いて、書道道具を出し入れしてよく、その場合も開口部５０から容易に書道道具を出し入れすることができる。この書道ケース１００は、前面上部１２ａを外側に折って開口部を形成するものであるから、前面部と後面部を１８０度開くタイプのものと異なり、書道道具の出し入れに広いスペースを必要としない。
【００２３】
前面上部１２ａを大きくすると、開口部５０はより大きくなる。前面上部１２ａは、好ましくは前面部の高さ（タテ寸法）の１／３〜１／２程度を占める。前面上部１２ａの占める割合が小さいと、十分な大きさの開口部を形成できない。前面上部１２ａの占める割合が大きすぎると、前面上部１２ａを外側に折ったときのバランスが悪くなり、ケースが倒れることがある。前面上部１２ａのタテ方向の寸法は、襠部２０に位置するファスナー部の傾斜に影響を及ぼし、前面上部１２ａのタテ方向の寸法が大きいほど、傾斜（底部と襠部に位置するファスナー部とが形成する角度）は一般に大きくなる。
【００２４】
図示した書道ケース１００は、襠部２０および上面部１６の内面にて、ファスナー部２２に沿って取り付けられた、ポケット４０をさらに有する。このポケット４０は、前面上部１２ａが外側に折れたときに、開口部が上向きないし斜め上向きに開くことを利用して、収納物の出し入れを行うものである。ここで、「上」とは、底部を下側としたときの方向である。ファスナー部２２を閉めるときには、ポケット４０の開口部は底部に向かって開くこととなり、ポケット４０内に収納したものが脱落するため、ポケット４０の開口部の少なくとも１箇所に開閉部を設ける必要がある。ここでは、面ファスナーを取り付けた帯状片４２を、開閉部として設けている。このような帯状片４２を設けているのは、図示した形態において、ポケット４０は、筆巻きに巻いた筆を専ら収納することを予定しており、１箇所の開閉部のみで十分に脱落を防止できることによる。
【００２５】
開閉部は、必要に応じて、より多くの箇所に設けてよい。開閉部はまた、面ファスナーに限られず、スナップまたはボタンであってよく、あるいは開口部全体にわたって、ファスナーを設けてよい。
【００２６】
図示した書道ケースにおいて、上面部１６の幅（前面部の上端と後面部の上端との間の距離）は、襠部２０の幅の寸法と略同じであり、従って底部１８の幅と略同じである。本発明の書道ケース１００においては、ファスナー部２２を、前面の側縁から襠部を斜め方向に横切るように設けることによって、図示するように、ポケット４０を、上面部１６の幅全部が底部である収納量の大きいものにし得る。
【００２７】
ポケット４０もまた、公知の織物、編物、不織布またはプラスチックシートもしくはフィルム等から選択される、任意のシート状物を使用して構成することができる。ポケット４０は、好ましくはメッシュで形成される。ポケット４０がメッシュから成り、かつ前面上部１２ａも前述のようにメッシュで形成される場合には、ポケット４０内は通気性が良好となり、ポケット４０に収納される物が濡れている場合でも、湿気がケース内にこもりにくく、カビ等の発生が抑制される。
【００２８】
以上において、本発明の書道ケースの一形態を説明した。本発明の書道ケースは、他の形態のものとして実現されてよい。例えば、襠部を斜め方向に横切るファスナー部は、上面部において延びていてよい。その場合、ポケットを設けるときに、ポケットの底部となり得る寸法は、ファスナー部の存在する位置までに限られる（即ち、上面部の幅全体をポケット部の底部として利用できない）。あるいは、襠部を斜め方向に横切るファスナー部は、後面部の両側縁の間で延びていてよい。その場合、ファスナー部を開いたときに、後面の上部の一部が前面上部とともに外側に折れることとなる。取手の位置は図示した位置に限られず、上面に設けてもよい。特に、ファスナー部を後面の両側縁の間で延びるように配置する場合には、ファスナー部の開閉をスムーズに行えるように、取手を上面部に設けることが好ましい。
【００２９】
また、本発明の書道ケースにおいて、襠部の下半分および底部に別のファスナー部を設ける必要は必ずしもない。当該別のファスナー部を襠部および底部に有しない書道ケースの一例を、図５において斜視図で示し、図６において側面図で示す。これらの図に示す符号が表す要素は、図１〜図４を参照して説明したとおりであるから、省略する。また、図５および図６に示す書道ケースの他の部分（例えば、寸法、材料、およびファスナー部２２を開いたときの状態等）については、先に図１〜図４に関連して説明したとおりであるから、ここでは省略する。
【００３０】
前面部に設けられる折り曲げ部は、縫合部でなくてよく、例えば、前面部を１枚のシート状物で作製し、折り目を設けて、これを折り曲げ部としてよい。または、前面部に取り付ける芯部を２枚とし、折り曲げ部に芯部が存在しないようにして、折り曲げ容易な構成としてよい。
【００３１】
ポケットは、間仕切りを設けて、２以上の収納部を有するように形成してよい。また、ポケットの取り付け位置は、ファスナー部を閉じているときに開口部が底部に向かって開いており、ファスナー部を開いて前面上部を外向きに折ったときに、開口部が上向きないし斜め上向きとなるように設けられる限りにおいて、特に限定されない。例えば、ポケットは、その寸法及び形状に応じて、開口部を除く部分のうち、一部をファスナー部に沿って襠部および上面部の内面に取り付け、一部を前面上部の内面に取り付けてよく、あるいは、開口部を除く部分全部を前面上部の内面に取り付けてよい。
書道ケースはまた、図示していない要素を有してよく、例えば、ケースの外面または内面に小物入れを設けてよい。
【産業上の利用可能性】
【００３２】
本発明の書道ケースは、ファスナー部を開いたときに大きな開口部を与え、書道道具の出し入れを容易に行えることから、小中学生が使用する書道ケースとして、また、小中学校において提供される書道セットを構成するものとして、特に有用である。
【図面の簡単な説明】
【００３３】
【図１】図１は、本発明の書道ケースの一例の外観を示す斜視図である。
【図２】図２は、図１に示す書道ケースの外観を示す側面図である。
【図３】図３は、図１に示す書道ケースの外観を示す背面図である。
【図４】図４は、図１に示す書道ケースのファスナー部を開いて、前面上部を外側に折ったときの状態を示す斜視図である
【図５】図５は、本発明の書道ケースの別の例の外観を示す斜視図である。
【図６】図６は、図５に示す書道ケースの外観を示す側面図である。
【符号の説明】
【００３４】
１２  前面部
１２ａ  前面上部
１２ｂ  前面下部
１４  後面部
１６  上面部
１８  底部
２０  襠部
２２  ファスナー部
２４  取手
２６  リング
３０  ファスナー部
４０  ポケット
４２  面ファスナー付き帯状片（開閉部）
５０  開口部
【図１】
2008131964.tif 000003
【図２】
2008131964.tif 000004
【図３】
2008131964.tif 000005
【図４】
2008131964.tif 000006
【図５】
2008131964.tif 000007
【図６】
2008131964.tif 000008